(57)【要約】【目的】ゴキブリを主たる駆除対象とし、これを多量に捕殺することのできる簡便な捕虫器を提供する。【構成】紙製の捕虫容器１とこれを収容するケーシング２とで構成される捕虫器である。捕虫容器１は、上面に複数の落し穴１１を穿孔した外箱１Ａ内に誘引成分を含む薬液Ｌを収容するためのトレイ１Ｂを内蔵して成る。又、ケーシング２は、下部台２Ａとこの上に設置される天蓋２Ｂとで成る。下部台２Ａは、捕虫容器１を嵌め込むための容器装填部２２を形成すると共に、下部台の外壁には害虫を進入せしめるための進入口２４が開口され、その内部には進入口２４より進入した害虫を容器装填部２２の上端へ誘導する傾斜状の案内路２５が形成される。一方、天蓋２Ｂには発光ダイオード３１とこれを点灯させるための電源部３２とを具備して成る誘引手段３が設けられる。【選択図】  図１
2004305162.tif 000002
【特許請求の範囲】
【請求項１】
上面に複数の落し穴を穿孔した捕虫容器を備え、その内部に誘引成分を含む薬液が収容可能とされて成ることを特徴とする捕虫器。
【請求項２】
捕虫容器が上面に複数の落し穴を形成する外箱と該外箱内に設けられるトレイとで構成される紙製であり、前記トレイはその内部に薬液を収容すべく防水性を有している請求項１記載の捕虫器。
【請求項３】
外箱にはその上端縁より張り出す突片が設けられ、その突片が外箱の上面に害虫を進行させるためのスロープを形成する請求項２記載の捕虫器。
【請求項４】
上面に複数の落し穴を穿孔した外箱内に誘引成分を含む薬液を収容するためのトレイを内蔵して成る捕虫容器と、この捕虫容器を収容するケーシングとから構成され、そのケーシングは前記捕虫容器を嵌め込むための容器装填部を形成する下部台と、この下部台上に設置される天蓋とを備え、前記下部台の外壁には害虫を進入せしめるための進入口が開口されると共に、下部台の内部には前記進入口より進入した害虫を前記容器装填部の上端へ誘導する傾斜状の案内路が形成され、前記天蓋には害虫を誘引するための誘引手段が設けられていることを特徴とする捕虫器。
【請求項５】
誘引手段は、発光ダイオードとこれを点灯させるための電源部とを具備して成る請求項４記載の捕虫器。
【発明の詳細な説明】
【０００１】
【発明の属する技術分野】
本発明は害虫を駆除するのに用いられる捕虫器に係わり、特に室内に配置してゴキブリを捕殺することのできる簡便な捕虫器に関する。
【０００２】
【従来の技術】
一般に、人畜に害を与える虫としてゴキブリ、夜盗蛾、ハエ、アブラムシ、又は蚊などが知られる。このうち、ゴキブリは偏平な体形を有するゴキブリ目ゴキブリ科に属する昆虫であり、その多くは褐色乃至黒褐色で油に浸ったような光沢があり、家住性のものは人間や荷物の移動に伴って広く伝播し、台所などで食品を害するのみならず伝染病を媒介する。
【０００３】
その種の害虫を駆除するべく従来から殺虫剤が一般に広く利用されているが、ピレスロイドやピレトリンなどを含む殺虫剤は殺虫能力が高いものの人体にも害があるため、その使用には注意を要する。特に、従来では殺虫剤を害虫に直接噴霧する方法が採られているため、その使用量の割には捕殺量が少なく、飛翔性を有する有翅の昆虫類では殺虫剤を吹き付ける前に逃げられてしまうことも多い。
【０００４】
そこで、ハエなどの害虫を誘引して捕殺することのできる定置式の装置が種々提案されている。その一例として、上部が開口する容器内にパイプの下端を挿入すると共に、容器内に界面活性剤入りの液体を収容し、パイプ内で発生させた泡をパイプの上部からその外面に沿って流下させ、その泡に飛翔性の害虫を突入せしめて捕殺するという害虫駆除装置がある（例えば、特許文献１）。
【０００５】
【特許文献１】
特開２００３−６１５４０号公報
【０００６】
【発明が解決しようとする課題】
然し乍ら、特許文献１に記載される害虫駆除装置は構造が複雑でコスト高になり、しかも容器内に集められる害虫の死骸が丸見えの状態であるから廃棄処分するにも心理的に不快感を伴うという欠点があった。
【０００７】
又、上記の従来装置は飛翔性の害虫を駆除対象とし、容器上に直立するパイプの外周部に泡の塊を形成して該泡内に害虫を誘引しようとするものであるから、ゴキブリほか飛翔性を有しない害虫の駆除は困難であった。尚、ゴキブリは飛翔性昆虫であっても室内で飛翔することは少なく、夜間において部屋の隅などを這い回るという習性があるので、上記従来装置による駆除率はハエなどに比べると非常に少ないものであった。
【０００８】
本発明は以上のような事情に鑑みて成されたものであり、その目的はゴキブリを主たる駆除対象とし、これを多量に捕殺することのできる簡便な捕虫器を提供することにある。
【０００９】
【課題を解決するための手段】
上記目的を達成するため、本発明に係る捕虫器は上面に複数の落し穴を穿孔した捕虫容器を備え、その内部に誘引成分を含む薬液が収容可能とされて成ることを特徴とする。
【００１０】
又、前記捕虫容器が上面に複数の落し穴を形成する外箱と該外箱内に設けられるトレイとで構成される紙製であり、前記トレイはその内部に薬液を収容すべく防水性を有しており、しかも外箱にはその上端縁より張り出す突片が設けられ、その突片が外箱の上面に害虫を進行させるためのスロープを形成することを特徴とする。
【００１１】
更に、上面に複数の落し穴を穿孔した外箱内に誘引成分を含む薬液を収容するためのトレイを内蔵して成る捕虫容器と、この捕虫容器を収容するケーシングとから構成され、そのケーシングは前記捕虫容器を嵌め込むための容器装填部を形成する下部台と、この下部台上に設置される天蓋とを備え、前記下部台の外壁には害虫を進入せしめるための進入口が開口されると共に、下部台の内部には前記進入口より進入した害虫を前記容器装填部の上端へ誘導する傾斜状の案内路が形成され、前記天蓋には害虫を誘引するための誘引手段が設けられていることを特徴とする。
【００１２】
尚、誘引手段は、発光ダイオードとこれを点灯させるための電源部とを具備して成る。これによれば、発光ダイオードの発熱により高温多湿を好むゴキブリの誘引効果が上がり、しかも発光ダイオードは消費電力が少ないので省エネルギー対策にもなる。又、捕獲すべき害虫の種類により発光ダイオードの光色を選択することにより、誘引効果を更に向上させることができる。
【００１３】
【発明の実施の形態】
以下、本発明の適用例を図面に基づいて詳細に説明する。図１は本発明に係る捕虫器の好適な一例を示した斜視分解図である。図１において、１は紙製の捕虫容器、２は捕虫容器を収容するケーシングである。このうち、捕虫容器１は立方体構造の外箱１Ａと、その内部に出し入れ可能に設けられるトレイ１Ｂとで構成される。外箱１Ａの上面にはゴキブリなどの害虫を落し込むための複数の落し穴１１が穿孔され、トレイ１Ｂには後述するような薬液が収容可能とされている。
【００１４】
尚、本例において、落し穴１１は縦５ｍｍ、横１０ｍｍ程度の長方形とされるが、これを丸穴などとしても差し支えない。又、捕虫容器１を稜線部に隙間のない一個体の箱として、その内部に適量の薬液を漏らさず収納できるような構造とすることもできる。
【００１５】
一方、ケーシング２は、下部台２Ａとその上に設置される天蓋２Ｂとで構成される。それらはステンレス鋼などの金属板から形成され、このうち下部台２Ａは上部が開口する有底の方形枠状であり、その内部は隔壁２１により三分割されている。そして、その中央領域は捕虫容器１を嵌め込むための容器装填部２２とされ、その両側面には捕虫容器１を容易に取り出し得るよう凹状の切欠部２３が形成される。又、下部台２Ａの外壁下部には害虫を進入させるための進入口２４が開口される。本例において、進入口２４は下部台２Ａの四隅と両端中央に形成され、その進入口２４が開通する下部台の内部両側領域には進入口２４から進入した害虫を容器装填部２２の上端に誘導する傾斜状の案内路２５が形成される。
【００１６】
他方、天蓋２Ｂはその上面が半円弧状とされ、その両側面には下部台２Ａの切欠部２３と噛み合う凸部２６が形成されると共に、天蓋２Ｂの底部両端縁には下部台２Ａの内側に嵌まり込む縁金２７が取り付けられる。そして、係る天蓋２Ｂは下部台２Ａ上に設置されてその上部開口部分を閉鎖するようになっている。
【００１７】
図２は下部台上に天蓋を設置した状態を示す断面図である。この図で明らかなように、捕虫容器１を容器装填部２２に嵌合した状態において、捕虫容器１の上面は下部台２Ａの上端とほぼ面一となるほか、捕虫容器１の上面と天蓋２Ｂの底面との間には１０ｍｍ程度の間隙が形成されるようになっている。
【００１８】
又、図２のように、天蓋２Ｂには害虫を誘引するための誘引手段３が設けられる。本例において、その誘引手段３は発光ダイオード３１と、これを点灯させるための電源部３２（電池）、並びに発光ダイオードと電源部とを繋ぐ回路中に介在される電源スイッチ３３とで構成される。尚、発光ダイオード３１の光色に限定はないが、本例ではこれに赤色ＬＥＤが用いられる。
【００１９】
そして、以上のような誘引手段３によれば、発光ダイオード３１の点灯による発熱でケーシング２内を加温し、その熱によって害虫、それも暖かい場所を好むゴキブリの誘引効果を上げることができる。但し、発光ダイオード３１に代えて白熱電球や蛍光管、又は電熱線などの発熱体を利用することもできる。ここに、白熱電球などでは発光ダイオードに比べると消費電力が大きいものの、発熱量が大きいので熱による誘引効果は高く、しかも光による誘引効果も得られる。
【００２０】
次に、図３は捕虫容器の一端部を示す。この図で明らかなように、捕虫容器１を構成する外箱１Ａの端面は折曲片１２を有して開閉自在とされる。そして、その一端面を開放することによりトレイ１Ｂを出し入れできるようになっている。
【００２１】
図４に示すように、トレイ１Ｂはその上部が全面開口する方形状の形態であり、その中には適量の薬液Ｌが収容可能とされている。特に、このトレイ１Ｂは一枚の原紙を折り込んで形成され、その内面にはプラスチックフィルムをコーティングするなどして防水加工が施され、これによって薬液Ｌの浸透、漏出が防止されている。尚、トレイ１Ｂに防水性をもたせる手段として、その素材に防水性を有する合成紙を用いるほか、その内面に撥水剤を塗布するなどしてもよい。
【００２２】
尚、薬液Ｌは誘引成分を含んだ液体であり、そのベース液にはゴキブリをはじめとする害虫に対して誘引効果のあるアルコールと糖類の混合液が用いられる。このうち、糖類としては、柿をはじめとする果物の抽出エキス（果汁）ほか、砂糖や蜂蜜を水やアルコールで希釈したものが用いられる。又、ベース液として糖質を含む日本酒、好ましくはこれに果汁を加えたものを用いることができる。但し、誘引成分は虫の走性（走化性）により様々であるから、薬液は上記のようなものに限らず、捕獲対象によって適当なものが選択される。例えば、捕獲対象がハエであれば、薬液には誘引成分としてアンモニアを含むものが有効である。特に、誘引成分として性フェロモン、それも虫の死骸やその体液を用いることもできる。
【００２３】
又、薬液Ｌは誘引成分ほか、虫の神経系を麻痺させる物質や殺虫性を有する物質などを含むことが好ましい。神経系を麻痺させる物質としては、唐辛子や山椒といった辛辣性香辛料、又はリモネンを含む柑橘類の抽出エキスが挙げられ、殺虫性を有する物質としてはピレスロイド、ピレトリン、ロテノイド、カルバメート、又はディルドリンなどが挙げられる。
【００２４】
ここで、以上のように構成される捕虫器の作用を説明すれば、発光ダイオード３１の点灯よってケーシング２内が徐々に加温されるほか、捕虫容器１内の薬液Ｌからは誘引成分が僅かずつ気化し、これが落し穴１１からケーシング２内を経て外部に拡散する。すると、これを嗅ぎ取った害虫（主にゴキブリ）が係る捕虫器の回りに集まり、進入口２４よりケーシング２内に進入する。又、ケーシング２内に進入した害虫は、誘引成分の発散源（薬液Ｌ）と発光ダイオード３１による加温部分を求めて案内路２５を這い上がる。そして、その上部に達した害虫は捕虫容器１の上面を這い回り、狭い場所を好むゴキブリは隣り合う落し穴１１の間で出入りを繰り返し、軈ては落し穴１１からトレイ１Ｂ内に落下して薬液Ｌに浸かり、これにより気門を塞がれるなどして窒息死する。
【００２５】
特に、その死骸からはフェロモンその他の誘引物質が発散され、これによって誘引効果が助長される。因に、薬液Ｌに神経系を麻痺させる物質を混入しておけば、虫を直ぐさま薬液中に落下させることができ、殺虫剤入りのものでは薬液中に落下した害虫を即死させることができる。
【００２６】
斯くて、捕虫容器１内が害虫の死骸で満杯状態になったら、これをケーシング２内から取り出し、害虫の死骸を捕虫容器１ごと廃棄場所まで運んで廃棄すればよく、このとき外箱１Ａの上面による遮蔽効果で内部の視認性が不良状態にあるので不快感を伴うことはない。
【００２７】
以上、本発明の適用例を説明したが、係る捕虫器は薬液の種類を限定するものでなく、これには捕獲対象により最適な誘引成分を含むものを適宜選択することが望ましい。又、上記のようなケーシング２を備えていれば所定の場所に配置して体裁を損なわないので好ましいが、係る捕虫器はケーシング２を省略して捕虫容器１のみで使用することもできる。単体使用に適用する捕虫容器の好適な一例を図５に示して説明すると、この捕虫器も上記例と同じく外箱１Ａとその内部に設けられるトレイ１Ｂとで構成され、外箱１Ａの上面には複数の落し穴１１が穿孔されると共に、トレイ１Ｂには適量の薬液が収容されるようになっている。特に、本例において、外箱１Ａにはその上端縁より張り出す突片１３が一体的に設けられる。その突片１３は外箱１Ａの両端にあって外箱１Ａと同一の幅を有し、使用に際して該突片１３が外箱１Ａの上面に害虫を進行させるためのスロープを形成するようにしてある。
【００２８】
そして、上記のような捕虫容器によれば、これを所定場所に配置して突片１３でスロープを形成し、その突片１３に沿って害虫を外箱１Ａの上面まで導き、以て外箱１Ａの上面まで達した害虫を落し穴１１からトレイ１Ｂ内の薬液中に落し込めて捕殺することができる。特に、図５のような捕虫容器１では、廃棄場所へ運ぶ際に突片１３を外箱１Ａの上面上に折り重ねて害虫の死骸を全く目にすることなく廃棄することができる。
【００２９】
【発明の効果】
以上の説明で明らかなように、本発明に係る捕虫器によれば、上面に複数の落し穴を穿孔した捕虫容器を備え、その内部に誘引成分を含む薬液が収容可能とされていることから、ゴキブリをはじめとする害虫を誘引し、これを落し穴から薬液中に落下せしめて捕殺することができる。
【００３０】
又、捕虫容器が複数の落し穴を形成する外箱と該外箱内に設けられるトレイとで構成される紙製の簡易構造であるから低コスト化を図れ、使い捨てにして廃棄処分が容易であり、しかも外箱の上面による遮蔽効果で害虫の死骸が目に付き難いので廃棄処分に際して不快感を軽減できる。
【００３１】
更に、外箱にスロープを形成する突片を設けていることから、外箱の上面への害虫の進行を促して多数の害虫を捕殺することができる。
【００３２】
又、捕虫容器を収容するケーシングを備えることから、所定の場所に配置して体裁を損なわず、しかもケーシングを構成する天蓋には害虫を誘引するための誘引手段が設けられていることから、薬液に含まれる誘引成分との相乗作用により多数の害虫を誘引することができる。特に、誘引手段が発光ダイオードとこれを点灯させるための電源部とを具備したものであるから、発光ダイオードの発熱と発光により誘引効果が上がり、しかも発光ダイオードは消費電力が少ないので省エネルギー対策にもなる。
【図面の簡単な説明】
【図１】本発明に係る捕虫器の好適な一例を示した斜視分解図
【図２】同捕虫器の断面図
【図３】捕虫容器の一端部を示した斜視図
【図４】捕虫容器を構成するトレイの斜視図
【図５】捕虫容器の変更例を示した斜視図
【符号の説明】
１  捕虫容器
１Ａ  外箱
１Ｂ  トレイ
１１  落し穴
１３  突片
２  ケーシング
２Ａ  下部台
２Ｂ  天蓋
２１  隔壁
２２  容器装填部
２４  進入口
２５  案内路
３  誘引手段
３１  発光ダイオード
３２  電源部
【図１】
2004305162.tif 000003
【図２】
2004305162.tif 000004
【図３】
2004305162.tif 000005
【図４】
2004305162.tif 000006
【図５】
2004305162.tif 000007